(57)【特許請求の範囲】
【請求項１】
記録媒体内のデータにアクセスするための認証鍵をバージョン毎に複数記憶する記憶手段と、
所定の通信可能領域に保持された記録媒体に対し、前記記憶手段に記憶される認証鍵を用いて前記記録媒体内のデータにアクセスし、アクセスが許容された場合にデータの読み取り及び書き込みを行う読み書き制御手段と
を備えた記録媒体処理装置において、
前記読み書き制御手段は、前記記録媒体内のデータへのアクセスが許容された場合には、このアクセスに用いたバージョンの認証鍵を前記記憶手段に一時的に記憶し、その後に所定の通信可能領域に記録媒体が新たに保持されたときに前記記憶手段に一時的に記憶されるバージョンの認証鍵を用いて該記録媒体内のデータにアクセスし、前記記憶手段に一時的に記憶されたバージョンの認証鍵を用いての記録媒体内のデータへのアクセスが拒否された場合には、当該バージョンが最新世代のものであるか否かを確認し、最新世代のものでなければ当該バージョンの次の世代のバージョンの認証鍵を設定して該認証鍵を用いて記録媒体内のデータにアクセスする一方、当該バージョンが最新世代のものであれば最も古い世代のバージョンの認証鍵を設定して該認証鍵を用いて記録媒体内のデータにアクセスすることを特徴とする記録媒体処理装置。
【発明の詳細な説明】
【技術分野】
【０００１】
本発明は、記録媒体処理装置に関し、より詳細には、例えばＩＣチップ等の記憶素子を搭載したＩＣカードや携帯電話機等の記録媒体に対し、記憶手段に記憶される認証鍵を用いて記録媒体内のデータにアクセスする記録媒体処理装置の改良に関する。
【背景技術】
【０００２】
近年、例えばＩＣチップを搭載したＩＣカードや携帯電話機等の記録媒体に電子マネーに関する情報を記録し、この記録媒体に記録された電子マネーを用いて商品の購入やサービスの提供に関する決済を行う電子決済システムが普及している。
【０００３】
このような電子決済システムにおいては、電子マネーチャージ機と称される記録媒体処理装置が用意されており、この記録媒体処理装置を通じて、投入された金銭に対応する入金情報（電子マネー）を記録媒体にチャージ（積み増し）するようにしている（例えば、特許文献１又は特許文献２参照）。
【０００４】
【特許文献１】特開２００３−０３６４６６号公報
【特許文献２】特開２００５−２８４３５９号公報
【発明の開示】
【発明が解決しようとする課題】
【０００５】
ところで、上記特許文献１及び特許文献２には明確に開示されていないが、上記電子マネーチャージ機においては、所定の通信可能領域に記録媒体が保持された場合に、この記録媒体と電子マネーチャージ機との間で認証処理が実施されるのが一般的である。このような認証処理は、記録媒体内に暗号化された状態で記憶されるデータへのアクセスが正当なものであるか否かを判断するためのものである。具体的には、電子マネーチャージ機が予め有する特定の認証鍵を用いて記録媒体内のデータにアクセスし、データ照合の結果、かかるアクセスが正当なものであるか否かを判断する。これにより、アクセスが許容されれば、電子マネーチャージ機は、記録媒体内のデータを読み取り又は書き込み等の処理を行うことが可能になる。
【０００６】
一方、近年、セキュリティレベルの向上を図るために記録媒体も所定のタイムサイクル毎にバージョンアップするのが一般的であり、これにより市場には複数のバージョンの記録媒体が流通することになる。
【０００７】
このように複数のバージョンの記録媒体が市場に流通する事態に対応すべく、電子マネーチャージ機はバージョン毎に複数の認証鍵を有しており、これら認証鍵を予め決められた順序に従って、例えば古い世代のバージョンの認証鍵から順々に用いることにより、通信可能領域に保持された記録媒体との間で認証処理が実施されている。
【０００８】
しかしながら、予め決められた順序に従って認証鍵を用いているために、次のような問題があった。すなわち、市場では最新世代のバージョンの記録媒体が最も多く流通している場合であっても、例えば古い世代のバージョンの認証鍵から順々に用いることが設定されていたら、市場の大勢に臨機応変に対応することができずに認証に要する時間の長大化を招来する虞れがあった。
【０００９】
本発明は、上記実情に鑑みて、市場の大勢に臨機応変に対応しながら、認証に要する時間の短縮化を図ることができる記録媒体処理装置を提供することを目的とする。
【課題を解決するための手段】
【００１０】
上記目的を達成するため、本発明の請求項１に係る記録媒体処理装置は、記録媒体内のデータにアクセスするための認証鍵をバージョン毎に複数記憶する記憶手段と、所定の通信可能領域に保持された記録媒体に対し、前記記憶手段に記憶される認証鍵を用いて前記記録媒体内のデータにアクセスし、アクセスが許容された場合にデータの読み取り及び書き込みを行う読み書き制御手段とを備えた記録媒体処理装置において、前記読み書き制御手段は、前記記録媒体内のデータへのアクセスが許容された場合には、このアクセスに用いたバージョンの認証鍵を前記記憶手段に一時的に記憶し、その後に所定の通信可能領域に記録媒体が新たに保持されたときに前記記憶手段に一時的に記憶されるバージョンの認証鍵を用いて該記録媒体内のデータにアクセスし、前記記憶手段に一時的に記憶されたバージョンの認証鍵を用いての記録媒体内のデータへのアクセスが拒否された場合には、当該バージョンが最新世代のものであるか否かを確認し、最新世代のものでなければ当該バージョンの次の世代のバージョンの認証鍵を設定して該認証鍵を用いて記録媒体内のデータにアクセスする一方、当該バージョンが最新世代のものであれば最も古い世代のバージョンの認証鍵を設定して該認証鍵を用いて記録媒体内のデータにアクセスすることを特徴とする。
【発明の効果】
【００１２】
本発明によれば、読み書き制御手段が、記録媒体内のデータへのアクセスが許容された場合に、このアクセスに用いたバージョンの認証鍵を記憶手段に一時的に記憶し、その後に所定の通信可能領域に記録媒体が新たに保持されたときに、記憶手段に一時的に記憶されるバージョンの認証鍵を用いて該記録媒体内のデータにアクセスするので、認証処理を複数回繰り返すうちに、最も認証に用いられるバージョンの認証鍵を記憶手段に記憶するようになる。従って、市場の大勢に臨機応変に対応しながら、認証に要する時間の短縮化を図ることができるという効果を奏する。
【発明を実施するための最良の形態】
【００１３】
以下に添付図面を参照して、本発明に係る記録媒体処理装置の好適な実施の形態について詳細に説明する。尚、以下の実施の形態においては、記録媒体処理装置の一例として電子マネーチャージ機について説明する。
【００１４】
図１及び図２は、それぞれ本発明の実施の形態である電子マネーチャージ機（記録媒体処理装置）を簡略して示したものである。ここで例示する電子マネーチャージ機は、入金操作が行われた場合にＩＣチップを搭載した記録媒体であるＩＣカードや携帯電話機（以下ではこれらの記録媒体を単に「マネーカード」と称して説明する）に対して、非接触通信により電子マネー情報の読み書き処理を行うものである。本実施の形態では、特に、紙幣を用いた現金決済によるチャージ処理の他、クレジットカードを用いたクレジット決済によるチャージ処理やデビットカードを用いたデビット決済によるチャージ処理が可能なものを例示している。尚、以下においては便宜上、これらクレジットカードやデビットカードを総称する場合に「決済カード」とし、決済カードによる決済を総称する場合に「カード決済」として説明を行う。
【００１５】
図からも明らかなように、電子マネーチャージ機は、本体キャビネット１及び前扉２を備えている。本体キャビネット１は、鋼材を適宜組み合わせることにより前面が開口した箱状に構成したものである。前扉２は、本体キャビネット１の前面開口１ａを開閉するように本体キャビネット１の一側部に配設したもので、閉動作させた場合に本体キャビネット１の前面開口１ａを完全に閉塞することが可能である。
【００１６】
これら本体キャビネット１と前扉２との間には、前扉施錠手段３が設けてある。前扉施錠手段３は、前扉２によって本体キャビネット１の前面開口１ａを閉塞した状態において施錠した場合に前扉２の開放移動を阻止するものである。図には明示しないが、前扉施錠手段３としては、キー操作によってキーシリンダを動作させることで施錠／解錠することができるものを適用することができる。
【００１７】
前扉２の前面には、表示部４、入力部５、紙幣挿入口６、決済カード挿入口７、印字出力口８及びマネーカード載置台９が設けてある。表示部４は、利用者等に対して各種案内表示を行うためのもので、例えば液晶パネルによって構成してある。入力部５は、電子マネーチャージ機に対して各種情報を入力するためのもので、例えば押ボタンスイッチ及びキーボードを備えて構成してある。尚、本実施の形態では、上述した表示部４としてタッチパネル式のものを適用しており、このタッチパネルを入力部５として各種の情報を入力することも可能である。
【００１８】
紙幣挿入口６は、現金決済のための紙幣を挿入するための開口であり、また決済カード挿入口７は、カード決済に用いるクレジットカードやデビットカードを挿入するための開口である。印字出力口８は、図示せぬプリンタによって印字された記録紙を排出するためのものである。マネーカード載置台９は、電子マネー情報のチャージ対象となるマネーカードを載置するための台状部である。このマネーカード載置台９は、その上面が後述するリーダライタの通信可能領域になるように構成してある。尚、図２中の符号２０は、紙幣挿入口６から挿入された紙幣を収容するための金庫である。
【００１９】
図３は、上述した電子マネーチャージ機の制御系を示すブロック図である。図３に示すように、電子マネーチャージ機は、通信処理部１１、入金処理部１２、リーダライタ１３及び主制御部１００を備えている。
【００２０】
通信処理部１１は、インターネットや専用回線を介して電子マネーサーバ２００、クレジットサーバ３００、デビットサーバ４００と接続され、これらのサーバ装置２００，３００，４００との間においてデータの送受信処理を行うものである。
【００２１】
入金処理部１２は、利用者によって入金操作された場合にその入金情報を主制御部１００に送信するものである。図には明示していないが、本実施の形態では、紙幣鑑別器及び決済カード読取機を備えて入金処理部１２が構成してある。この入金処理部１２では、例えば紙幣挿入口６から紙幣が挿入された場合、挿入された紙幣の真偽及び金種を鑑別し、鑑別結果を現金入金情報として主制御部１００に送信する。一方、決済カード挿入口７から決済カードが挿入され、かつ入力部５を通じて入金額が指定された場合には、決済カードの記録情報を読み取り、この読取結果に入力部５からの入金額を含めてカード入金情報として主制御部１００に送信する。
【００２２】
リーダライタ１３は、マネーカードがマネーカード載置台９に載置された場合に、マネーカードに搭載されたＩＣチップとの間において非接触通信によりデータの読み取り及び書き込みを行うものである。
【００２３】
主制御部１００は、予め与えられたプログラムに従って処理を行い、入金処理部１２、通信処理部１１、入力部５、リーダライタ１３からの入力情報に応じて電子マネーチャージ機の動作を統括的に制御するものである。この主制御部１００は、操作設定部１０１、読み書き制御部１０２、チャージ処理部１０３及び履歴管理部１０４を備えている。
【００２４】
操作設定部１０１は、予め設定した条件に従って操作者毎に実施可能となる操作を設定し、これを選択メニューとして表示部４に表示するものである。
【００２５】
読み書き制御部１０２は、リーダライタ１３を通じてマネーカードに記録されたデータの読み取りを行う一方、リーダライタ１３を通じてデータの書き込みを行うものである。より詳細には、読み書き制御部１０２は、メモリ１１０に予め記憶された特定の認証鍵を用いてマネーカードにアクセスし、このアクセスが許容された場合に、リーダライタ１３を通じてマネーカードに記録されたデータの読み取りを行うものである。
【００２６】
チャージ処理部１０３は、入金処理部１２から入金情報が与えられ、かつ読み書き制御部１０２を通じてマネーカード載置台９にマネーカードが載置されたことを確認した場合、上述したサーバ装置２００，３００，４００との間において適宜処理を実施し、電子マネーサーバ２００からのチャージ許可に従って入金額に応じた電子マネー情報をマネーカードに積み増しすべく、読み書き制御部１０２に対して書き込み指令を送信するものである。
【００２７】
具体的には、マネーカード載置台９にマネーカードが載置された状態で入金処理部１２から現金入金情報が与えられた場合、チャージ処理部１０３は、電子マネーサーバ２００に対してチャージ要求を送信し、電子マネーサーバ２００からのチャージ許可を待つ。この間、電子マネーチャージ機からチャージ要求を受信した電子マネーサーバ２００では、チャージ要求に含まれるマネーカードの識別情報に基づいてマネーカードが正規のものであるか否かが判断され、正規のものであると判断した場合、チャージ要求の送信元である電子マネーチャージ機に対してチャージ許可を送信することになる。
【００２８】
これに対してマネーカード載置台９にマネーカードが載置された状態で入金処理部１２からカード入金情報が与えられた場合、チャージ処理部１０３は、決済カードの発行元であるサーバ装置３００，４００に対して決済要求を送信し、電子マネーサーバ２００からのチャージ許可を待つ。この間、電子マネーチャージ機から決済要求を受信したサーバ装置３００，４００では、入金処理部１２との間において認証処理が実施される。認証によって正規の決済カードによる決済要求であると判断した場合には、サーバ装置３００，４００から電子マネーサーバ２００に対してチャージ要求が送信される。サーバ装置３００，４００からチャージ要求を受信した電子マネーサーバ２００では、先と同様、チャージ要求に含まれるマネーカードの識別情報に基づいてマネーカードが正規のものであるか否かが判断され、正規のものであると判断した場合、決済要求の送信元である電子マネーチャージ機に対してチャージ許可を送信することになる。
【００２９】
履歴管理部１０４は、読み書き制御部１０２の実施したマネーカードに対する読み書き処理の履歴、及び入金処理部１２を通じて取得した入金の履歴を含む履歴データをメモリ１１０に順次格納するものである。
【００３０】
図４は、上述した電子マネーチャージ機の主制御部１００において所定のサイクルタイム毎に繰り返し実施される処理の内容を示したフローチャートである。以下、この図を参照しながら電子マネーチャージ機の動作について説明する。
【００３１】
上述した電子マネーチャージ機では、図示せぬ電源が投入されると、まず、主制御部１００の操作設定部１０１によって利用者のための操作群が設定され、この操作群に含まれる操作が操作メニューとして表示部４に表示される（ステップＳ１）。この結果、電子マネーチャージ機の利用者は、表示部４に表示された操作メニューから自身の所望とする操作を選択し、入力部５を通じてこれを指示することができるようになる。
【００３２】
操作メニューを表示した主制御部１００は、利用者からの操作入力の有無を監視し、チャージ処理が選択された場合（ステップＳ２：Ｙｅｓ）、認証処理及びチャージ処理を実施する（ステップＳ３，ステップＳ４）。
【００３３】
図５は、図４に示した認証処理の処理内容を示すフローチャートである。この認証処理の説明の前提として、電子マネーチャージ機は、例えば３つのバージョンの認証鍵（すなわち、最も古い世代のバージョン１の認証鍵、バージョン１よりも新しい世代のバージョン２の認証鍵、最新世代のバージョン３の認証鍵）をメモリ１１０に記憶しているものとする。
【００３４】
この認証処理において主制御部１００は、認証処理が初めてであるか否か、すなわち初回起動であるか否かを判断し（ステップＳ３０１）、初回起動である場合には、予め決められた順序に従ってメモリ１１０に記憶されるバージョン１の認証鍵を認証鍵Ａとして設定する（ステップＳ３０１：Ｙｅｓ→ステップＳ３０２）。
【００３５】
一方、初回起動でない場合、すなわち認証処理を何度も行っている場合には、詳細は後述するが、メモリ１１０の不揮発性領域１１１に記憶されるバージョンｎ（ｎ：１〜３）の認証鍵を認証鍵Ａとして設定する（ステップＳ３０１：Ｎｏ→ステップＳ３０３）。以下においては、まずステップＳ３０１で初回起動であった場合の処理について説明し、その後にステップＳ３０１で初回起動でなかった場合について説明する。
【００３６】
バージョン１の認証鍵を認証鍵Ａとして設定した主制御部１００は、予め設定された時間が経過するまでの間、読み書き制御部１０２を通じてリーダライタ１３によりマネーカード載置台９にマネーカードが載置されているか否かを判断する（ステップＳ３０４，ステップＳ３０５）。尚、上記ステップＳ２においてチャージ処理が選択された場合には、チャージ処理を開始する旨の表示を行うととともにマネーカードをマネーカード載置台９に載置させる操作を促すための表示を行うことが好ましい。予め設定された時間が経過するまでの間に、マネーカード載置台９にマネーカードが載置されない場合、あるいはリーダライタ１３を通じてマネーカードが載置されていることを検出できなかった場合、主制御部１００は、手順をリターンして今回の処理を終了する（ステップＳ３０４：Ｎｏ→ステップＳ３０５：Ｙｅｓ）。
【００３７】
マネーカード載置台９にマネーカードが載置されたことを検出すると（ステップＳ３０４：Ｙｅｓ）、主制御部１００の読み書き制御部１０２は、メモリ１１０に記憶されており、かつステップＳ３０１で設定した認証鍵Ａ（バージョン１の認証鍵）を用いて、リーダライタ１３を通じてマネーカードに記憶されるデータにアクセスする（ステップＳ３０６）。アクセスした結果、アクセスが許可された場合には（ステップＳ３０７：Ｙｅｓ）、アクセスに用いた認証鍵Ａ（バージョン１の認証鍵）をメモリ１１０の不揮発性領域１１１に一時的に記憶する（ステップＳ３０８）。かかる不揮発性領域１１１に認証鍵Ａを記憶した主制御部１００の読み書き制御部１０２は、リーダライタ１３によりマネーカードに対して記録情報の読み取りを実施し（ステップＳ３０９）、その後に手順をリターンして今回の処理を終了する。
【００３８】
上記ステップＳ３０６でのアクセスが許可されずに拒否された場合（ステップＳ３０７：Ｎｏ）、主制御部１００の読み書き制御部１０２は、認証鍵Ａ（バージョン１の認証鍵）が最新のものであるか否かを確認する（ステップＳ３１０）。ここで、認証鍵Ａとして設定したものはバージョン１の認証鍵であるから認証鍵Ａは最新のものではなく、主制御部１００の読み書き制御部１０２は、メモリ１１０に記憶されるバージョン２の認証鍵を新たに認証鍵Ａと設定する（ステップＳ３１０：Ｎｏ→ステップＳ３１１）。
【００３９】
ステップＳ３１１でバージョン２の認証鍵を認証鍵Ａと設定した主制御部１００の読み書き制御部１０２は、ステップＳ３０４〜ステップＳ３０６の処理を繰り返し、アクセスが許可された場合には（ステップＳ３０７：Ｙｅｓ）、メモリ１１０の不揮発性領域１１１に認証鍵Ａ（バージョン２の認証鍵）を一時的に記憶して、ステップＳ３０９の処理を実施する。その一方、アクセスが拒否された場合には（ステップＳ３０７：Ｎｏ）、主制御部１００の読み書き制御部１０２は、認証鍵Ａ（バージョン２の認証鍵）が最新のものであるか否かを確認することになるが（ステップＳ３１０）、認証鍵Ａとして設定したものはバージョン２の認証鍵であるから認証鍵Ａは最新のものではなく、主制御部１００の読み書き制御部１０２は、メモリ１１０に記憶されるバージョン３の認証鍵を新たに認証鍵Ａと設定する（ステップＳ３１０：Ｎｏ→ステップＳ３１１）。
【００４０】
そして、バージョン３の認証鍵を認証鍵Ａと設定した主制御部１００の読み書き制御部１０２は、ステップＳ３０４〜ステップＳ３０６の処理を繰り返し、アクセスが許可された場合には（ステップＳ３０７：Ｙｅｓ）、メモリ１１０の不揮発性領域１１１に認証鍵Ａ（バージョン３の認証鍵）を一時的に記憶して、ステップＳ３０９の処理を実施する。その一方、アクセスが拒否された場合には（ステップＳ３０７：Ｎｏ）、主制御部１００の読み書き制御部１０２は、認証鍵Ａ（バージョン３の認証鍵）が最新のものであるか否かを確認することになるが（ステップＳ３１０）、認証鍵Ａとして設定したものはバージョン３の認証鍵であるから最新のものであり、主制御部１００の読み書き制御部１０２は、メモリ１１０に記憶されるバージョン１の認証鍵を新たに認証鍵Ａと設定し（ステップＳ３１０：Ｙｅｓ→ステップＳ３１２）、上述したステップＳ３０４以降の処理を繰り返す。
【００４１】
次に、認証処理が初回起動でなかった場合には、主制御部１００の読み書き制御部１０２は、前回の認証処理のステップＳ３０８でメモリ１１０の不揮発性領域１１１に一時的に記憶されるバージョンｎ（ｎ：１〜３）の認証鍵を認証鍵Ａと設定し、上述したステップＳ３０４〜ステップＳ３０６の処理を実施し、かかる認証鍵Ａを用いてのアクセスが許可された場合には（ステップＳ３０７：Ｙｅｓ）、メモリ１１０の不揮発性領域１１１に認証鍵Ａ（バージョンｎの認証鍵）を一時的に記憶して、ステップＳ３０９の処理を実施する。その一方、アクセスが拒否された場合には（ステップＳ３０７：Ｎｏ）、主制御部１００の読み書き制御部１０２は、認証鍵Ａ（バージョンｎの認証鍵）が最新のものであるか否かを確認することになる（ステップＳ３１０）。ここで、バージョンｎの認証鍵がバージョン３の認証鍵であれば、認証鍵Ａとして設定したものは最新のものであり、主制御部１００の読み書き制御部１０２は、メモリ１１０に記憶されるバージョン１の認証鍵を新たに認証鍵Ａと設定し（ステップＳ３１０：Ｙｅｓ→ステップＳ３１２）、上述したステップＳ３０４以降の処理を繰り返す。その一方、バージョンｎの認証鍵がバージョン１又はバージョン２の認証鍵であれば、認証鍵Ａとして設定したものは最新のものではなく、主制御部１００の読み書き制御部１０２は、メモリ１１０に記憶されるバージョン（ｎ＋１）の認証鍵、すなわちバージョン２又はバージョン３の認証鍵を新たに認証鍵Ａと設定し（ステップＳ３１０：Ｙｅｓ→ステップＳ３１１）、上述したステップＳ３０４以降の処理を繰り返す。
【００４２】
上述した認証処理を実施した主制御部１００は、その後にチャージ処理を行う。図６は、図４に示したチャージ処理の処理内容を示すフローチャートである。このチャージ処理において主制御部１００のチャージ処理部１０３は、上記ステップＳ３０９で記録情報の読み取りを実施したマネーカードが、読み書き制御部１０２を通じてのリーダライタ１３により読み書きが可能なものであるか否かを判断する（ステップＳ４０１）。リーダライタ１３によって読み書きを実施できないと判断した場合、主制御部１００は、手順をリターンして今回の処理を終了する（ステップＳ４０１：Ｎｏ）。
【００４３】
一方、リーダライタ１３によって読み書きが可能なものと判断した場合、すなわちマネーカード載置台９に載置されたマネーカードが正常なものであると判断した場合（ステップＳ４０１：Ｙｅｓ）、主制御部１００は、表示部４に入金を行うための画面を表示し（ステップＳ４０２）、その後、予め設定された時間が経過するまでの間、入金待ちとなる（ステップＳ４０３，ステップＳ４０４）。設定時間までに入金操作が行われなかった場合、主制御部１００は、手順をリターンして今回の処理を終了する（ステップＳ４０３：Ｎｏ→ステップＳ４０４：Ｙｅｓ）。
【００４４】
これに対して設定時間までに利用者によって入金操作が行われ、これに伴って入金処理部１２から入金情報が与えられると、主制御部１００は、チャージ処理部１０３を通じて入金情報を適宜処理することにより、サーバ装置２００，３００，４００に対してチャージ（決済）要求を送信し（ステップＳ４０５）、その後、サーバ装置２００，３００，４００からの応答受信待ちとなる（ステップＳ４０６）。
【００４５】
サーバ装置２００，３００，４００から受信した応答がチャージ許可であった場合（ステップＳ４０６：Ｙｅｓ→ステップＳ４０７：Ｙｅｓ）、主制御部１００は、チャージ処理部１０３を通じて読み書き制御部１０２に書き込み指令を送信し、入金額分を積み増した電子マネー情報をマネーカードに書き込む処理を実施する（ステップＳ４０８）。尚、サーバ装置２００，３００，４００からの応答がチャージ許可でない場合（ステップＳ４０６：Ｙｅｓ→ステップＳ４０７：Ｎｏ）、主制御部１００は、手順をリターンして今回の処理を終了する。
【００４６】
上述した一連の処理が終了すると、主制御部１００は、履歴管理部１０４を通じて履歴データ１１２の更新処理を実施する（ステップＳ４０９）。具体的には、ステップＳ４０９において主制御部１００は、上述したように読み書き制御部１０２の実施したマネーカードに対する読み書き処理の履歴、及び入金処理部１２を通じて取得した入金の履歴をメモリ１１０の履歴データ１１２に順次追加する処理を実施する。履歴管理部１０４を通じた履歴データ１１２の更新処理を終了した主制御部１００は、手順をリターンする。
【００４７】
以上説明したように、上記電子マネーチャージ機によれば、主制御部１００の読み書き制御部１０２は、マネーカードの内部のデータへのアクセスが許容された場合に、このアクセスに用いた種類の認証鍵Ａをメモリ１１０の不揮発性領域１１１に一時的に記憶し、その後にマネーカード載置台９にマネーカードが新たに載置された場合に、メモリ１１０の不揮発性領域１１１に一時的に記憶される認証鍵Ａを用いて該マネーカードの内部のデータにアクセスするので、認証処理を複数回繰り返すうちに、最も認証に用いられるバージョンの認証鍵をメモリ１１０の不揮発性領域１１１に記憶するようになる。従って、市場の大勢に臨機応変に対応しながら、認証に要する時間の短縮化を図ることができる。
【００４９】
また、上述した実施の形態では、非接触通信によってデータの読み書き処理を行うものを例示しているが、必ずしも非接触通信によってデータの読み書き処理を行うものである必要はない。
【００５０】
上述した実施の形態では認証鍵Ａをメモリ１１０の不揮発性領域に記憶するものであったが、本発明では、認証鍵を不揮発性領域ではなくて、揮発性メモリに記憶するものであっても構わない。また、本発明では、バージョン毎、あるいは決済ブランド毎の種類のみを記憶手段の不揮発性領域に記憶するものであっても構わない。
【００５１】
上述した実施の形態では、各バージョンの認証鍵を予めメモリ１１０に記憶してあるものとして説明したが、本発明では、認証鍵そのものは揮発性メモリに記憶、あるいはその都度ダウンロードさせるようにしても良い。これによれば、電子マネーチャージ機が盗まれたとき等の認証鍵に対するセキュリティレベルを向上させることができるので好ましく、また単なる電源遮断に対しては、バージョン又は種類情報が電源復帰時にそのまま残っているため、運用がし易い等の利点がある。
【産業上の利用可能性】
【００５２】
以上のように、本発明に係る記録媒体処理装置は、所定の通信可能領域に保持されたマネーカードに対して、投入された金銭に対応する入金情報を付与するのに有用である。
【図面の簡単な説明】
【００５３】
【図１】本発明の実施の形態である電子マネーチャージ機（記録媒体処理装置）を簡略して示す斜視図である。
【図２】図１に示した電子マネーチャージ機において前扉を開放移動させた状態を示す斜視図である。
【図３】図１に示した電子マネーチャージ機の制御系を示すブロック図である。
【図４】図３に示した主制御部が実施する処理内容を示すフローチャートである。
【図５】図４に示した認証処理の処理内容を示すフローチャートである。
【図６】図４に示したチャージ処理の処理内容を示すフローチャートである。
【符号の説明】
【００５４】
４      表示部
１３      リーダライタ
１００      主制御部
１０２      読み書き制御部
１０３      チャージ処理部
１１０      メモリ
１１１      不揮発性領域
【図１】
0005018559.tif 000002
【図２】
0005018559.tif 000003
【図３】
0005018559.tif 000004
【図４】
0005018559.tif 000005
【図５】
0005018559.tif 000006
【図６】
0005018559.tif 000007